(57)【要約】【課題】本発明は、チエン鎗を使用する作業者を、従来のプロテクターに比較して、軽くて、蒸せなく、身体に取り付けての歩行時に違和感のないプロテクターを提供するもので、従来のチエン鎗プロテクターは、身体へのフィッチングが悪く、重く、蒸せる構造であった。【解決手段】本発明は、チエン鎗を使用する作業者を、従来のプロテクターに比較して、軽くて、蒸せなく、身体に取り付けての歩行時に違和感のない、チエン鎗によって、最も切傷事故を起こしやすい部位のみを保護するプロテクトする構造とし、小型軽量にして、必要部分だけをプロテクトする構造にしたため、着装時に違和感なく、作業能率が上がった。  【選択図】図１
2009091672.tif 000002
【特許請求の範囲】
【請求項１】
下半身を保護する構造よりなるチエン鎗プロテクターにおいて、腰固定部分、プロテクター吊り下げ部分及びプロテクターの3部分より成ることを特徴とするチエン鎗プロテクター
【請求項２】
上記第１項記載のプロテクター部分が、すねから腿の前半分を覆うことを特徴とするチエン鎗プロテクター
【請求項３】
上記第１項記載のプロテクター部分の腿の裏面で、該プロテクターを容易に結脱できる固定具を有することを特徴とするチエン鎗プロテクター
【請求項４】
上記第１項記載のプロテクター部分が、左右両脚、乃至は、右、または左脚のみより成ることを特徴とするチエン鎗プロテクター
【請求項５】
上記第１項記載のプロテクター部分が布地の場合は、難擦性布地ないしは、金属メッシュ、金属板を縫い込んでいることを特徴とするチエン鎗プロテクター
【請求項６】
第1項記載のプロテクター吊り下げ部分が、メッシュ構造ないしは、通気性に優れた材質より成ることを特徴とするチエン鎗プロテクター
【発明の詳細な説明】
【技術分野】
【０００１】
本発明は、林野において、チエン鎗を使用し、樹木を伐採する作業者の、身体を保護するための安全具として使用するものである。
【背景技術】
【０００２】
従来市販されている当該等の安全具にズボン式などのプロテクターがある。（例えば非特許文献１、特許文献１，２参照）
【０００３】
この製品は、プロテクターで防御する部分が、足首から、太腿部分までを一体構造で覆い長尺である。該プロテクターを足に固定するベルトが、脛の上下２か所で固定されている。プロテクターと吊りベルト部分が布製で作られた構造になっている。両足が一体であるなどの特徴がある。
【０００４】
従来の構造では、急斜面の多い作業現場で使用すると、該プロテクターが脛の上下2か所で固定されているため、歩行時脛を曲げて移動する際、脛先に、抵抗を生じるため、作業性に乏しく、長時間着用すると、疲労をきたす。プロテクター部分と、ベルトの間が、布製であることから、特に、夏季の着用に不向きであり、着用に違和感を覚える。
【０００５】
従って、本発明は、着用時の違和感をなくすため、より軽量にして、夏季においても、通風性に優れ、必要な部分のみをプロテクトする構造とした、チエン鎗プロテクターを提供するものである。
【０００６】
【特許文献１】特許出願  ２００１-１９８７３５
【特許文献２】特許出願  ２００５-２１３２２７
【非特許文献１】株式会社マックス；カタログ  “ＭＡＣ  ＧＲＥＥＮ”  Ｖｏｌ．２  ｐ１
【発明の開示】
【発明が解決しようとする課題】
【０００７】
従来の構造では、急斜面の多い作業現場で使用すると、該プロテクターが脛の上下２か所で固定されているため、歩行時脛を曲げて移動する際、脛先に、抵抗を生じるため、作業性に乏しく、長時間着用すると、疲労をきたす。プロテクター部分と、ベルトの間が、布製であることから、特に、夏季の着用に不向きであり、着用に違和感を覚える。
【０００８】
従って、本発明は、着用時の違和感をなくすため、より軽量にして、夏季においても、通風性に優れ、必要な部分のみをプロテクトする構造とした、チエン鎗プロテクターを提供するものである。
【課題を解決するための手段】
【０００９】
本発明でプロテクトする部分は、脛直下から、膝の部分の、前側面のみとする。これによって、軽量化を達成すると同時に、移動の時、本発明プロテクターは脛下部分が小さくかつ、このプロテクターを足に固定するバンドが、２カ所あるが、この２カ所共脛上にあるため、歩行時に、プロテクター部分の上下運動がなく、従って足への一体感に優れている。さらに、プロテクター部分と、吊り下げベルトの間の部分を、通気性構造にすることにより、夏季でも全く蒸せる心配がないものとする。一般に事故を起こす部分は、右利きの作業者は、左足を、左利きの作業者は、その逆が大部分であるため、場合によっては、片足プロテクターで十分な場合が多い。そのため、本発明では、両足一体。乃至は、左右片足のみに使用できる構造のプロテクターをも提供するものである。
【発明の効果】
【００１０】
本発明のプロテクターを使用することによって、林野での、伐採作業者が、着用の違和感なく、能率良く、動作俊敏に、快適で安全な作業をすることができるようになった。
【発明を実施するための最良の形態】
【００１１】
以下本発明を実施例によって、詳しく説明する。
【実施例１】
【００１２】
実施例１
「図１」に本発明の全体図を示す。「図１」中（Ａ）はベルト部分を、（Ｂ）はベルトに連結した太腿の前面に当たる部分を、（Ｃ）はチエン鎗の刃が当たった時に太腿と脛小僧を保護するためのプロテクター部分を示している。
【００１３】
（Ａ）のベルトの機能は、腰に本プロテクターを固定するためのものである。幅は約３ｃｍで、厚さ数ミリ、長さは９５ｃｍ程度の、革ないしは布織り製で、図に示すように、１，２の部品があり、この部品は２の部品を、１に差し込むことによって、簡単に結合できる構造である。１の部品には、ずらすことによって、長さを調整することができ、余分なベルトは、折り返して、３に差し込み固定できる。
【００１４】
（Ｂ）の部分は、ベルト（Ａ）と、プロテクター（Ｃ）部分の中間部分で、通風性の高い、布地でできている。メッシュ構造の場合は、４の糸径１〜数ミリの糸で、１０〜３０ｍｍの網目でできている。本メッシュ部分の、ベルト側は、３０〜３５ｃｍで、下端は、２０〜２５ｃｍ幅より成っている。縦方向の長さは、中心場所で、約２５ｃｍである。
（Ｃ）の部分のサイズは、上部が、２０〜２５ｃｍ幅、下端は約２０ｃｍ幅であり、長さは、４０ｃｍほどでこの部分が、実際の作業で、最も、チエン鎗の刃を当てる確率の高い部分であり、プロテクトを要する場所である。
【００１５】
「図２」にその部分の平面を、
【００１６】
「図３」にその断面図を示す。
「図２」中、５は布地で、周辺付近を、６に示すように、縁取り固定の縫いこみを施している。内部の、７が針金で、上下のタンメン内部の６の縫いこみ近くで、Ｕターンし、布地全体に入っており、この針金の間を、８の糸で縫い、固定している。縫い込みは、針金のＵターン日を乗り越え縫い目自身も同じくＵターンして、次の針金間を、針金と平行に縫い続け針金を固定している。
【００１７】
「図３」はその断面図である。
針金の材質は、ステンレス製が好ましい。その線径は、２ｍｍ程である。「図２」では、金属線を折り曲げて縫い込んだ構造のものを示したが、針金以外に、金属メッシュ、乃至は、金属シートを縫い込んだものでも使用可能である。
【００１８】
さらに、姻族を縫い込まない構造で、使用する布地が、強度の強く、滑りの良い糸、例えば、ナイロン系より織られた布地を複数層にて、使用することによって、この部分を構成することも可能である。
【００１９】
「図４」は「図１」図を裏面より見た図である。右足の、９，１０及び左足の、１１，１２は本プロテクターの足の部分を固定するバンドである。９〜１２まで、長さ調節可能な、差込脱着可能な構造を有するバンドである。１３がプロテクター部分の下端であり、１４が脛の下段固定具の位置で、この距離は１５ｃｍほどである。この位置は脛の関節より上部に位置するように作られている。
【００２０】
「図５」はチエン鎗プロテクターの片足用プロテクターを示した図面であり、Ｄが左足、Ｅが右足のプロテクターを示した図面である。
【００２１】
実施例1に示した、ベルト部分（Ａ）は、ベルト以外に、ゴム入りのバンドと、後ろに長さ調整のベルト公正、または、作業ズボンのベルトに、引っかけ金具で固定する構造のものでもよい。
「図１」に於いて例１に示したものは、通常のベルト状のものを示しているが、これ以外
に、全体ないしは部分的にゴムを縫い込んだベルトでもいいし、または、Ｂ部分の上端に、カーテン吊り下げのかぎ状の固定具によって、ズボンのベルトに吊り下げて固定し、メッシュへの引っかけ位置を変化することによって、最適長さ、位置を調整することもできる。
【００２２】
Ｃのプロテクター部分は、実施例１に示し、「図２」、「図３」に示した方法以外に、脛の直上に脛にうまくフッティングする形状にして、脛の保護と、プロテクターの安定性を向上した物がさらに優れた機能を発揮できる。
【００２３】
プロテクター部分（Ｃ）のものへの固定方法について、「図４」
では、９〜１２の形状の
ものを掲載しているが、９〜１２の代わりに、この部分をメッシュ状の構造にして、片端は、プロテクターに縫いつけ、足の形状に合わせ、片端をファスナー、乃至は鈎止め構造にして、プロテクターの足へのフィティングをさらに向上させる方法も優れている。なおメッシュを構成する紐は、ゴム紐等の入った、弾力性のものを使用すると更に好ましい
【００２４】
上記に記載した各寸法は、標準的な値を示したものである。作業者の体格によって、この標準値より、１０％ほど大きいもの、小さいもので、Ｌ型、Ｓ型サイズのものを作ることによって、作業性の優れたものを提供することができる。
【産業上の利用可能性】
【００２５】
以上示したチエン鎗プロテクターを着用し間伐作業を行ってみた。軽装なため、着用し手作業を行う時はもちろん、急傾斜の上昇下降を繰り返してみても、着用の違和感がなく、優れた機能を発揮した。特に、プロテクター部分Ｃが従来のものより短いため、軽量であることに加え、足への固定バンド８〜１１が脛部の上で、固定されるため、運動時に、上下に動かないため、活動性に優れた機能を有するプロテクターとなった。
【００２６】
「図５」には、各、左足、右足のみの構造のプロテクターを示す。
【図面の簡単な説明】
【００２７】
【図１】本発明の全体図を示したものである。Ａが、バンド部分、Ｂが腿部分、Ｃがプロテクター部分である。１，２，３はベルトを腰に固定する部品である。
【図２】はプロテクター部分の布地内容を示したものであり、Ｅが布地端面、６，８外と縫い目、７が金属線である。
【図３】は「図２」の切断端面構造である。
【図４】は「図１」を裏面から眺めた図である。９〜１２はプロテクターを足に固定する固定部品であり、１３はプロテクターの下端、１４は足への固定部品の下部固定部品の位置である。
【図５】は本発明の、Ｄが左足、Ｅが右足用のプロテクター図面である。
【符号の説明】
【００２８】
Ａ  バンド部分
Ｂ  腿部分
Ｃ  プロテクター部分
Ｄ  左足用
Ｅ  右足用  
１  バックル凸
２  バックル凹
３  ベルト通し
４  メッシュ構造  
５  布地
６  縫い目
７  貼り金
８  糸目  
７  貼り金
８  糸目
９，１０，１１及び１２    バックル付きプロテクター固定バンド片足プロテクター
【図１】
2009091672.tif 000003
【図２】
2009091672.tif 000004
【図３】
2009091672.tif 000005
【図４】
2009091672.tif 000006
【図５】
2009091672.tif 000007